(57)【要約】【課題】引戸など移動体の位置調整のためにガイド軸を傾いた状態にすることなく移動体を常に安定した状態で案内できるガイド装置を提供する。【解決手段】ガイド軸１３０は、ケース１１０に設けられたガイド軸調整孔１１２ａ、１１２ｂと調整部材１６０に設けられたガイド軸挿通孔１６１、１６２とに挿通されている。調整螺子１５０を回動させると調整部材１６０がケース１１０内を矢印Ａ方向に進退移動する。調整部材１６０の進退移動により、ケース１１０のガイド軸調整孔１１２ａ、１１２ｂと調整部材１６０のガイド軸挿通孔１６１、１６２との交差位置が矢印Ｂ方向に変位する。その結果、ガイド軸１３０が矢印Ｂ方向に変位する。その際、ガイド軸１３０はその軸長方向２箇所が調整部材１６０の一対のガイド軸挿通孔１６１、１６２の部分によって支持されて平行移動するため傾いた状態にならない。【選択図】図２
2007107301.tif 000002
【特許請求の範囲】
【請求項１】
移動体をガイドレールに沿って案内すべく当該移動体に取り付けられるガイド装置であって、
前記移動体に取り付けられるケースと、
このケースから突出し前記ガイドレールに案内されるガイド軸と、
前記ケース内に外部から回動操作可能に設けられた調整螺子と、
この調整螺子の回動によりケース内を進退する調整部材と、を有し、
前記ガイド軸は、前記ケースの前記ガイドレールとの対向部に設けられたガイド軸調整孔に挿通されるとともに、前記調整部材に前記ガイド軸の軸長方向に離間して設けられた一対のガイド軸挿通孔に挿通されており、
前記ガイド軸調整孔は、前記調整部材の進退方向と水平方向に直交する方向への前記ケースと前記ガイド軸との相対移動を許容する長孔であり、
前記一対のガイド軸挿通孔は、前記調整部材の進退方向に対して水平方向に傾斜した方向への前記調整部材と前記ガイド軸との相対移動を許容する長孔であることを特徴とするガイド装置。
【請求項２】
前記一対のガイド軸挿通孔間に、前記ガイド軸を前記ケースから突出させる方向に付勢するスプリングを設けたことを特徴とする請求項１のガイド装置。
【請求項３】
前記ケースは、予め移動体に取り付けられるベースと、このベースに着脱可能に取り付けられるケース本体とを有し、このベースとケース本体との互いの着脱が、前記ガイド軸の軸長方向に沿った方向への相対移動によってのみなされるように構成されていることを特徴とする請求項１又は２のガイド装置。
【発明の詳細な説明】
【技術分野】
【０００１】
本発明は、引戸や折戸など移動体をガイドレールに沿って案内するべく移動体に取り付けられるガイド装置に関し、より詳細には、移動体をガイドレールによる案内方向と水平方向に直交する方向に位置調整する機構を備えたガイド装置に関する。
【背景技術】
【０００２】
引戸などをガイドレールによる案内方向と直交する方向に位置調整する機構を備えたガイド装置として、引戸の上端部に固定された本体ケースの内部に上方に行くほど横幅を大きくした長孔状の挿入孔を有し、この挿入孔にガイド軸を本体ケースの横幅方向（引戸の移動方向と水平方向に直交する方向）に揺動可能に挿入し保持したものが知られている。ガイド軸の上端部にはガイドレールに案内される球状のガイドローラが回転自在に支持されている。本体ケース内には斜行ガイド孔が形成された調整部材が設けられており、この調整部材の斜行ガイド孔をガイド軸が貫通している。調整部材本体には調整螺子が螺合している。この調整螺子は外部から回動操作することができ、これを回動させると、調整部材本体が摺動し、それに伴って、斜行ガイド孔を貫通しているガイド軸がその下端を支点として本体ケースの横幅方向に揺動する。その結果、ガイドローラがガイド軸の揺動量に応じた距離だけ移動し、引戸の位置調整がなされる。（特許文献１）
【特許文献１】特開平１０−１０２８８５号公報（［００２４］、図３〜図６）
【発明の開示】
【発明が解決しようとする課題】
【０００３】
しかし、上述した従来のガイド装置は、調整螺子を回動させると、ガイド軸がその下端を支点として本体ケースの横幅方向に揺動するため、ガイド軸が上下方向に対して傾いた状態でガイドレールに沿って引戸が案内されることになる。したがって、引戸を安定して走行させるためには、上記のようにガイドローラの形状を球状など特殊形状にするといった対処が必要になる。
【０００４】
本発明は、上記のような事情に鑑み創案されたものであり、その目的は、引戸など移動体の位置調整のためにガイド軸を傾いた状態にすることなく、移動体を常に安定した状態で案内できるガイド装置を提供することにある。
【課題を解決するための手段】
【０００５】
上記目的を達成するために、本発明のガイド装置は、移動体をガイドレールに沿って案内すべく当該移動体に取り付けられるガイド装置であって、前記移動体に取り付けられるケースと、このケースから突出し前記ガイドレールに案内されるガイド軸と、前記ケース内に外部から回動操作可能に設けられた調整螺子と、この調整螺子の回動によりケース内を進退する調整部材と、を有し、前記ガイド軸は、前記ケースの前記ガイドレールとの対向部に設けられたガイド軸調整孔に挿通されるとともに、前記調整部材に前記ガイド軸の軸長方向に離間して設けられた一対のガイド軸挿通孔に挿通されており、前記ガイド軸調整孔は、前記調整部材の進退方向と水平方向に直交する方向への前記ケースと前記ガイド軸との相対移動を許容する長孔であり、前記一対のガイド軸挿通孔は、前記調整部材の進退方向に対して水平方向に傾斜した方向への前記調整部材と前記ガイド軸との相対移動を許容する長孔であることを特徴としている。
【０００６】
上記構成によれば、調整螺子を回動させると調整部材がケース内を進退移動する。この調整部材の進退移動により、ケースに設けられたガイド軸調整孔と調整部材に設けられた一対のガイド軸挿通孔との交差位置が移動体の移動方向と水平方向に直交する方向に変位する。その結果、ガイド軸調整孔と一対のガイド軸挿通孔とに挿通されたガイド軸が移動体の移動方向と水平方向に直交する方向に変位することになる。その際、ガイド軸はその軸長方向２箇所が調整部材の一対のガイド軸挿通孔の部分によって支持されて平行移動するため、ガイド軸が傾いた状態になることはない。
【０００７】
本発明のガイド装置において、前記一対のガイド軸挿通孔間には、前記ガイド軸を前記ケースから突出させる方向に付勢するスプリングが設けられていることが望ましい。
【０００８】
上記構成によれば、移動体の慣性による上下運動をスプリングの弾性によって吸収及び抑制して引戸を水平状態に保つことができる。また、調整部材の一対のガイド軸挿通孔間にスプリングを配置することにより、スプリングの設置スペースを調整部材の外に別途確保する必要がないので、スプリングの設置スペースを確保するためにケースを大型化する必要がない。
【０００９】
本発明のガイド装置において、前記ケースは、予め移動体に取り付けられるベースと、このベースに着脱可能に取り付けられるケース本体とを有し、このベースとケース本体との互いの着脱が、前記ガイド軸の軸長方向に沿った方向への相対移動によってのみなされるように構成されていることが望ましい。
【００１０】
上記構成によれば、予め移動体に取り付けられたベースに対し、ケース本体をガイド軸の軸長方向に沿った方向にのみ移動させて着脱するので、ベースとケース本体との間でガイド軸の軸長方向に直交する方向のがたつきを防止できる。ガイド軸を捕捉して閉止方向に引き込むことにより移動体を強制的に閉止する閉止装置を使用する場合、ガイド軸にはその軸長方向に直交する方向に閉止装置の力が作用することになるが、ベースに対するケース本体の着脱の際にケース本体がガイド軸の軸長方向に沿った方向にしか移動できない構造になっているので、閉止装置を使用する場合でもケース本体が脱落する虞がない。
【発明の効果】
【００１１】
本発明のガイド装置によれば、ガイド軸を揺動させず平行移動させることにより移動体の位置調整がなされるように構成したので、移動体を常に安定に案内できる。
【発明を実施するための最良の形態】
【００１２】
以下、本発明を実施するための最良の形態について説明する。
［第１の実施形態］
図１は本発明のガイド装置を備えた開閉体装置としての下荷重タイプの引戸装置の主要部を例示する斜視図である。図２は本発明のガイド装置の第1の実施形態を示す分解斜視図である。図３は図２に示すガイド装置の使用状態の断面図である。
【００１３】
図１に示す引戸装置１０は、上下一対のガイドレール２０、３０と、両レール２０、３０間に装着された引戸（移動体）４０とを備えている。
【００１４】
上側レール２０は、断面形状が下向きに開いた略Ｃ字形のレール本体２１と、レール本体２１の下面に一体的に固定された前後一対の裾板２２、２３とからなる。レール本体２１の下部の前後方向（奥行き方向）中央には、その長手方向全長に亘ってガイドスリット２４が形成されている。
【００１５】
下側レール３０は、断面形状が略Ｖ字形の細長い部材であり、その上面部に長手方向全長に亘ってレール溝３１が形成されている。
【００１６】
引戸４０は、その下端部の左右両端部に一対の走行輪４５、４６を内蔵している。両走行輪４５、４６は、引き戸４０の下端面から一部突出し、下側レール３０のレール溝３１に嵌合している。両走行輪４５、４６は、引き戸４０の荷重を支えつつ従動回転することによりレール溝３１に沿って走行する。
【００１７】
引戸４０の上端部の左右両端近傍には、上側レール２０に案内される一対のガイド装置１００Ａ、１００Ｂが設けられている。各ガイド装置１００Ａ、１００Ｂは、引戸４０の上端面の前後方向（厚さ方向）中央部に上方に突出して設けられたガイド軸１３０と、ガイド軸１３０の先端部（上端部）にこれを軸にして回転可能に保持されたピボット１３５とを備えている。そして、ピボット１３５がレール本体２１のガイドスリット２４の開口縁に摺動可能に係合することにより、引戸４０の外れを防止するとともに、引戸４０の前後方向への変位（がたつき）を抑えつつ開閉方向（左右）への円滑な移動を可能としている。
【００１８】
上側レール２０のレール本体２１内には、引戸４０を閉じたときにこれが位置する側（図１では左側）の領域に閉止装置６０が設けられている。閉止装置６０は、引戸４０を荒閉まりを防止しつつ確実に閉止するための装置である。閉止装置６０は、引戸４０を閉止する際に、ガイド軸１３０を捕捉して閉止方向へ引き込む捕捉引き込み機構を備えている。
【００１９】
ガイド装置１００は、引戸４０をガイドレール（この例では上ガイドレール）２０に沿って案内すべく引戸４０の上端角部に取り付けられるものであり、引戸４０に取り付けられるケース１１０と、このケース１１０から突出（この例では上方に突出）し引戸４０に案内されるガイド軸１３０と、ケース１１０内に外部から回動操作可能に設けられた調整螺子１５０と、この調整螺子１５０の回動によりケース１１０内を進退する調整部材１６０と、を有する。
【００２０】
ケース１１０は、引戸４０の上端角部の厚さ方向中央部に形成された凹部２１０に嵌合させて取り付けられ、2つの螺子２１１、２１２で上下方向及び水平方向から締着固定される。
【００２１】
ケース１１０には、調整部材１６０を引戸４０の横幅方向（矢印Ａで示す方向）に進退移動可能に収容する調整部材収容空間１１１が内部に形成されるとともに、この調整部材収容空間１１１を介して上下に対向（連通）する一対のガイド軸調整孔１１２ａ、１１２ｂが形成され、下側のガイド軸調整孔１１２ｂの下方にはガイド軸１３０の下端部の移動（上下方向及び調整部材１６０の進退方向と水平に直交する方向（矢印Ｂで示す方向）への移動）を許容するべく切欠部１１３が形成されている。ガイド軸調整孔１１２ａ、１１２ｂは、調整部材１６０の進退方向と水平方向に直交する方向（矢印Ｂで示す方向）へのケース１１０とガイド軸１３０との相対移動を許容する長孔である。また、ケース１１０の端部側壁には、調整螺子１５０を調整部材収容空間１１１内に水平に挿入できるように調整螺子操作孔１１４が形成されるとともに、螺子２１２を締める際にドライバなどの工具を挿入するための工具孔１１５が形成されている。また、ケース１１０の前後の側壁には、調整螺子１５０の抜けを防止するための金属製の細い棒状の抜止ピン１５６を挿着するための小孔１１６が設けられている。
【００２２】
調整部材１６０は、調整螺子操作孔１１４に対して反対向きに開口したコ字形の金具であり、上下に対向する水平部１６０ａ、１６０ｂに一対のガイド軸挿通孔１６１、１６２が形成されている。ガイド軸挿通孔１６１、１６２は、調整部材１６０の進退方向に対して水平方向に傾斜した方向（矢印Ｃで示す方向）への調整部材１６０とガイド軸１３０との相対移動を許容する長孔である。調整部材１６０の垂直部１６０ｃには調整螺子１５０が螺合する調整用螺子孔１６３が形成されている。
【００２３】
ガイド軸１３０は、ケース１１０の一対のガイド軸調整孔１１２ａ、１１２ｂに挿通されるとともに、調整部材１６０の一対のガイド軸挿通孔１６１、１６２に挿通されている。調整部材１６０の一対のガイド軸挿通孔１６１、１６２間には、ガイド軸１３０をケース１１０から突出（この例では上方に突出）させる方向に付勢するスプリング１６５が設けられている。スプリング１６５の上下両端には円環状の座金１６６、１６７が設けられており、一方の座金１６６がガイド軸１３０の中間部に形成された大径部１３０ａの下端に係合し、他方の座金１６７が調整部材１６０の下側の水平部１６０ｂの上面に係合している。
【００２４】
ガイド軸１３０の上端部には、ガイドレール２０に摺動可能に係合するピボット１３５が設けられている。ガイド軸１３０の下端には、スプリング１６５によって上方に付勢されているガイド軸１３０の調整部材１６０からの抜けを防止するために、調整部材１６０の下側の水平部１６０ｂの下面に係合する座金１３６が取り付けられている。
【００２５】
調整螺子１５０は、調整部材１６０の調整用螺子孔１６３に螺合しており、そのヘッド部１５１がケース１１０の調整螺子操作孔１１４に挿入されている。調整螺子１５０にはケース１１０の側壁内面部に係合する円環状の座金１５５が装着されている。この座金１５５が抜止ピン１５６によって押さえ付けられることにより、調整螺子１５０の軸長方向先端側（図視左側）への移動が阻止され、調整螺子１５０をケース１１０に対して常に一定の位置で回動操作できるようになっている。
【００２６】
上記のように構成されたガイド装置１００において、調整螺子１５０を回動させると調整部材１６０がケース１１０内を進退移動する。この調整部材１６０の進退移動により、ケース１１０に設けられた一対のガイド軸調整孔１１２ａ、１１２ｂと調整部材１６０に設けられた一対のガイド軸挿通孔１６１、１６２との交差位置が調整部材１６０の進退方向（矢印Ａ方向）と水平方向に直交する方向（矢印Ｂ方向）に変位する（図４、図５参照）。その結果、一対のガイド軸調整孔１１２ａ、１１２ｂと一対のガイド軸挿通孔１６１、１６２とに挿通されたガイド軸１３０が調整部材１６０の進退方向（矢印Ａ方向）と水平方向に直交する方向（矢印Ｂ方向）に変位することになる。その際、ガイド軸１３０はその軸長方向２箇所が調整部材１６０の一対のガイド軸挿通孔１６１、１６２の部分によって支持されて平行移動するため、ガイド軸１３０が傾いた状態になることはない。したがって、このガイド装置１００によれば、引戸４０の位置調整のためにガイド軸１３０を傾いた状態にすることなく、引戸４０を常に安定した状態で案内することができる。
【００２７】
また、ガイド軸１３０がスプリング１６５によって上下方向に移動可能に支持され且つケース１１０から突出する方向に付勢されているので、引戸４０の慣性による上下運動をスプリング１６５の弾性によって吸収及び抑制して引戸４０を水平状態に保つことができる。また、引戸４０を閉止する際、図６に示すように、ガイド軸１３０は閉止装置６０のフック体６１の傾斜面６１ｂに倣って待避移動（この例では下降）した後復帰（この例では上昇）してフック体６１に捕捉されることができる。スプリング１６５を調整部材１６０の上下の水平部１６０ａ、１６０ｂ間に配置したことにより、スプリング１６５の設置スペースを調整部材１６０の外に別途確保する必要がないので、スプリング１６５の設置スペースを確保するためにケース１１０を大型化する必要がない。
［第２の実施形態］
図７は本発明のガイド装置の第２の実施形態を示す分解斜視図である。図８は図７の状態におけるガイド装置の断面図である。図９は第２の実施形態のガイド装置の移動体への取り付けが完了した状態を示す断面図である。
【００２８】
この実施形態のガイド装置１００のケース１７０は、予め引戸４０に取り付けられる略Ｌ字形のベース１７０Ａと、このベース１７０Ａに着脱可能に取り付けられるケース本体１７０Ｂとからなる。そして、ベース１７０Ａとケース本体１７０Ｂとの互いの着脱が、ガイド軸１３０の軸長方向に沿った方向すなわち上下方向への相対移動によってのみなされるように構成されている。ベース１７０Ａとケース本体１７０Ｂは高強度の合成樹脂で形成されている。ベース１７０Ａは、引戸４０の凹部２１０に嵌合させて取り付けられ、2つの螺子１８１、１８２で上下方向及び水平方向から締着固定される。
【００２９】
ベース１７０Ａには、その下部を構成する水平部の内面四箇所に上下方向に延びる断面矩形状の凸部１７６が形成されるとともに、その水平部の一端から上方に延びる起立部に上下方向に延びる断面台形状の袋状凹部１７８が形成されている。一方、ケース本体１７０Ｂの下部外面には、ベース１７０Ａの凸部１７６を各々受け入れるようにして嵌合する凹部１７７と、ベース１７０Ａの袋状凹部１７８に収容されるようにして嵌合する断面台形状の凸部１７９が形成されている。このような互いの嵌合構造により、ベース１７０Ａとケース本体１７０Ｂとが、上下方向への相対移動によってのみ互いに着脱可能となっている。
【００３０】
ケース本体１７０Ｂには、フック部１７１が設けられている。一方、ベース１７０Ａには、ケース本体１７０Ｂの挿着完了時にフック部１７１が係合する係合部１７３が設けられている。フック部１７１が係合部１７３に係合することにより、ベース１７０Ａとケース本体１７０Ｂとが互いに連結される。フック部１７１はそれ自体が弾性変形することによって係合部１７３に係脱する。フック部１７１の係合部１７３との当接面１７１ａは、ケース本体１７０Ｂをベース１７０Ａに挿着する際、係合部１７３に倣ってフック部１７１がスムーズに弾性変形するようにテーパ状に形成されている。一方、係合部１７３のフック部１７１との当接面１７３ａは、フック部１７１とのスムーズな係脱を可能とすべく断面円弧状の滑らかな凸面状に形成されている。
【００３１】
ベース１７０Ａ及びケース本体１７０Ｂには、ケース本体１７０Ｂをベース１７０Ａから外す際にドライバなどの工具１９０を挿入するための工具孔１７４、１７２が形成されており、ケース本体１７０Ｂをベース１７０Ａから外す際、工具孔１７４、１７２に工具１９０（図９参照）を挿入し、その工具１９０でフック部１７１の先端部を押すことにより、係合部１７３に対するフック部１７１の係合を解除することができるようになっている。
【００３２】
上記構成によれば、予め引戸４０に取り付けられたベース１７０Ａに対し、ケース本体１７０Ｂをガイド軸１３０の軸長方向に沿った方向すなわち上下方向にのみ移動させて着脱するので、ベース１７０Ａとケース本体１７０Ｂとの間でガイド軸１３０の軸長方向に直交する方向すなわち水平方向のがたつきを防止できる。ガイド軸１３０を捕捉して閉止方向に引き込むことにより引戸４０を強制的に閉止する閉止装置６０を使用する場合、ガイド軸１３０にはその軸長方向に直交する方向に閉止装置６０の力が作用することになるが、ベース１７０Ａに対するケース本体１７０Ｂの着脱の際にケース本体１７０Ｂがガイド軸１３０の軸長方向に沿った方向にしか移動できない構造になっているので、閉止装置６０を使用する場合でもケース本体１７０Ｂがベース１７０Ａから脱落する虞がない。
【産業上の利用可能性】
【００３３】
本発明のガイド装置は、移動体の位置調整のためにガイド軸を傾いた状態にすることなく、移動体を常に安定した状態で案内できるので、引戸に限らず折戸のガイド装置としても利用可能である。
【図面の簡単な説明】
【００３４】
【図１】本発明のガイド装置を備えた開閉体装置としての下荷重タイプの引戸装置の主要部を例示する斜視図
【図２】本発明のガイド装置の第1の実施形態を示す分解斜視図
【図３】図２に示すガイド装置の使用状態の断面図
【図４】（ａ）調整部材を一方の移動限界に移動させた状態を示す断面図、（ｂ）調整部材を他方の移動限界に移動させた状態を示す断面図
【図５】図４（ａ）に対応する正面図、図４（ｂ）に対応する正面図
【図６】閉止機構のフック体が既に捕捉状態になっている時に、閉止機構作動部であるガイド装置がフック体の傾斜面に倣って待避移動している途中の過程を示す要部断面図
【図７】本発明のガイド装置の第２の実施形態を示す分解斜視図
【図８】図７の状態におけるガイド装置の断面図
【図９】第２の実施形態のガイド装置の移動体への取り付けが完了した状態を示す断面図
【符号の説明】
【００３５】
１０  引戸装置
２０  ガイドレール
４０  引戸（移動体）
６０  閉止装置
１００Ａ、１００Ｂ  ガイド装置
１１０  ケース
１１２ａ、１１２ｂ  ガイド軸調整孔
１１４  調整螺子操作孔
１３０  ガイド軸
１５０  調整螺子
１６０  調整部材
１６１、１６２  ガイド軸挿通孔
１６３  調整用螺子孔
１６５  スプリング
１７０  ケース
１７０Ａ  ベース
１７０Ｂ  ケース本体
１７１  フック部
１７３  係合部
【図１】
2007107301.tif 000003
【図２】
2007107301.tif 000004
【図３】
2007107301.tif 000005
【図４】
2007107301.tif 000006
【図５】
2007107301.tif 000007
【図６】
2007107301.tif 000008
【図７】
2007107301.tif 000009
【図８】
2007107301.tif 000010
【図９】
2007107301.tif 000011